(57)【要約】      （修正有）【課題】有効に導電層の設置を減らして製造コストを下げるコンデンサー式タッチパネル構造を提供する。【解決手段】コンデンサー式タッチパネル構造１は、透明基板１０、導電層１１、高分子透明基板１２及び樹脂層１３を含む。該透明基板１０は、第一側１０１及び第二側１０２を備え、該第二側上には該導電層１１を設置し、また該高分子透明基板１２は第三側１２１及び第四側１２２を備え、更に該樹脂層１３は該透明基板１０と高分子透明基板間１２に設置する。【選択図】図１
0003177905.tif 000002
【実用新案登録請求の範囲】
【請求項１】
コンデンサー式タッチパネル構造において、
第一側及び該第一側と反対の第二側を備える透明基板と、
該第二側上に被覆する導電層と、
第三側及び第四側を備え，該第三側は前述導電層と相対して透明基板の別一側に対応して貼り合わさる高分子透明基板と、
前述透明基板及び該高分子透明基板の間に設置する樹脂層を含むことを特徴とするコンデンサー式タッチパネル構造。
【請求項２】
前記高分子透明基板は、テレフタル酸ポリエチレン、ポリカーボネート、ポリエチレン、ポリ塩化ビニル、ポリプロピレン、ポリスチレン、ポリメタクリル酸メチル及びシクロオレフィン共重合体のうちのひとつを選択することを特徴とする請求項１記載のコンデンサー式タッチパネル構造。
【請求項３】
前記導電層は、ジェル塗布、電気メッキ、蒸着もしくはスパッタリングのうちの一つの方法で形成した薄膜構造で、更に該薄膜構造はインジウムスズ酸化物(ITO)、インジウム亜鉛酸化物(IZO)及び酸化アンチモン含有酸化スズ(ATO)のうちのひとつであることを特徴とする請求項１記載のコンデンサー式タッチパネル構造。
【請求項４】
前記透明基板の材質は、ガラス、テレフタル酸ポリエチレン、ポリカーボネート、ポリエチレン、ポリ塩化ビニル、ポリプロピレン、ポリスチレン、ポリメタクリル酸メチル及びシクロオレフィン共重合体のうちの一材質を選択することを特徴とする請求項１記載のコンデンサー式タッチパネル構造。
【請求項５】
前記膠層は、光学樹脂及び光学接着剤のうちのひとつを選択することを特徴とする請求項１記載のコンデンサー式タッチパネル構造。
【考案の詳細な説明】
【技術分野】
【０００１】
本考案は、コンデンサー式タッチパネル構造に関するもので、特に導電層の設置を減らし、製造コストを下げるコンデンサー式タッチパネル構造である。
【背景技術】
【０００２】
情報技術と通信ネットワークの急激な発展に拠って、電子情報製品は徐々に個人に普及しており、相対してタッチパネルも同時に急激に発展している。現在、タッチパネルは、その感知原理の違いに基づき、主にレジスタンス式、コンデンサー式、電磁式及び光学式等四種に分けられる。そのうちコンデンサー式タッチパネル構造は防塵、防火及び高解析度等特性を備えるため、最も広く採用されている。該コンデンサー式タッチパネル作用原理は、主にコンデンサー量の変化によって接触点位置が確認され、接触物（例として指等の導体）が電極間で発生する電気変化によって接触点の座標が確定される。
【０００３】
コンデンサー式タッチパネルも、徐々にタッチ技術が主流になっており、各種電子情報製品、例として携帯電話、タブレットＰＣ、携帯式プレイヤー、携帯式電子装置(設備)、各種ディスプレイ、監視器等々に応用されている。該これらコンデンサー式タッチパネルの電子情報製品の原理は、人体が感知する微弱電流を応用することによって形成されたコンデンサー値の変化方式によって、タッチ操作目的を達成し、指の位置変化とクリックによって、操作の目的を達成する。
【０００４】
一般コンデンサー式のタッチパネルは、主に二層式タッチパネルを応用し、その二層式タッチパネルは、各透明導電基板上に複数本のスクリーン印刷工程もしくはDUV照射エッチング工程を行い、相互に対応する酸化インジウムスズ(ITO)層を形成する。該種の透明導電基板の材質は主にガラスであり、透明導電基板の単価は高いため、製造時は生産材料費が非常にかかる。また、タッチパネル工程中に不良品が発生した時、タッチパネル全体を廃棄しなければならず、且つ回収もできないので、コストの浪費がかかりやすく、更に各透明導電基板は該酸化インジウムスズ(ITO)層があり、そこに幾本ものスクリーン印刷工程もしくはDUV照射エッチング工程を行い、且つ対応させるためにその製造ステップは煩雑になり、且つ製造コストも同時に大幅に上昇する。
【０００５】
その他、上述のフォトリソグラフィー製法は、必要な設備が高価であるため、相対して全体の生産コストが上がり、且つ必要な成分及び現像液はどちらも人体に有害な化学溶液であるため、現場の操作員の健康に重大な影響を及ぼすだけでなく、環境生態も汚染することになる。
【先行技術文献】
【特許文献】
【０００６】
【特許文献１】特開２０１１−８７４０号公報
【考案の概要】
【考案が解決しようとする課題】
【０００７】
解決しようとする問題点は、製造ステップが煩雑で、製造コスト高が高い点である。
【０００８】
拠って、上述公知の問題と欠点を改善するため、本案の考案者及び従業者は問題を改善するための研究を行っていた。
【課題を解決するための手段】
【０００９】
本考案は、透明基板、導電層、高分子透明基板及び樹脂層を含む。該透明基板は、第一側及び第二側を備え、該第二側上には該導電層を設置し、また該高分子透明基板は第三側及び第四側を備え，更に該樹脂層は該透明基板と高分子透明基板間に設置することを最も主要な特徴とする。
本考案は以下の特徴を有する。
（１）コンデンサー式タッチパネル構造において、
第一側及び該第一側と反対の第二側を備える透明基板と、
該第二側上に被覆する導電層と、
第三側及び第四側を備え，該第三側は前述導電層と相対して透明基板の別一側に対応して貼り合わさる高分子透明基板と、
前述透明基板及び該高分子透明基板の間に設置する樹脂層を含むことを特徴とするコンデンサー式タッチパネル構造。
（２）前記高分子透明基板は、テレフタル酸ポリエチレン、ポリカーボネート、ポリエチレン、ポリ塩化ビニル、ポリプロピレン、ポリスチレン、ポリメタクリル酸メチル及びシクロオレフィン共重合体のうちのひとつを選択することを特徴とする（１）記載のコンデンサー式タッチパネル構造。
（３）前記導電層は、ジェル塗布、電気メッキ、蒸着もしくはスパッタリングのうちの一つの方法で形成した薄膜構造で、更に該薄膜構造はインジウムスズ酸化物(ITO)、インジウム亜鉛酸化物(IZO)及び酸化アンチモン含有酸化スズ(ATO)のうちのひとつであることを特徴とする（１）記載のコンデンサー式タッチパネル構造。
（４）前記透明基板の材質は、ガラス、テレフタル酸ポリエチレン、ポリカーボネート、ポリエチレン、ポリ塩化ビニル、ポリプロピレン、ポリスチレン、ポリメタクリル酸メチル及びシクロオレフィン共重合体のうちの一材質を選択することを特徴とする（１）記載のコンデンサー式タッチパネル構造。
（５）前記膠層は、光学樹脂及び光学接着剤のうちのひとつを選択することを特徴とする（１）記載のコンデンサー式タッチパネル構造。
【考案の効果】
【００１０】
本考案のコンデンサー式タッチパネル構造は、導電層の設置を減らすことで、製造コストを下げ、生産効率を高めるという利点がある。
【図面の簡単な説明】
【００１１】
【図１】本考案の実施例の断面分解指示図である。
【図２】本考案の実施例の断面立体指示図である。
【考案を実施するための形態】
【００１２】
上述公知技術の欠点を解決するため、導電層の設置を減らすコンデンサー式タッチパネル構造を提供することを本考案の主な目的とする。
【００１３】
製造コストを大幅に下げるコンデンサー式タッチパネル構造を提供することを本考案の別の一目的とする。
【００１４】
上述の目的を達成するため、本考案は一種のコンデンサー式タッチパネル構造を提供し、それは透明基板、導電層、高分子透明基板及び樹脂層を含む。
【００１５】
該透明基板は、第一側及び該第一側に相対する第二側を備える。該導電層は該第二側上に被覆する。該高分子透明基板は第三側及び第四側を備え、その第三側は該導電層と相対する透明基板の別一側に対応して貼り合わさる。該樹脂層は前述透明基板及び該高分子透明基板の間に設置し、該該透明基板と高分子透明基板が相互に接合する。本考案のコンデンサー式タッチパネル構造により、導電層の設置を減らし及び大幅製造コストを下げる効果を有効に達成する。
【実施例】
【００１６】
本考案の上述目的及びその構造と機能上の特性を図式に基づき、良好な実施例を挙げて説明する。
【００１７】
本考案は、一種のコンデンサー式タッチパネル構造で、図１及び図２に示すのは、本考案良好な実施例の断面分解指示図及び断面立体指示図である。該コンデンサー式タッチパネル構造１は、透明基板１０、導電層１１、高分子透明基板１２及び樹脂層１３を含み、そのうち該透明基板１０の材質として、ガラスを良好な実施例として説明するが、これに制限されない。また、テレフタル酸ポリエチレン(Polyethylene Terephthalate，PET)、ポリカーボネート(Poly Carbonate，PC)、ポリエチレン(polyethylene，PE)、ポリ塩化ビニル(Poly Vinyl Chloride，PVC)、ポリプロピレン(Poly Propylene，PP)、ポリスチレン(Poly Styrene，PS)、ポリメタクリル酸メチル(Polymethylmethacrylate，PMMA)、シクロオレフィン共重合体(cycloolefin coplymer，COC)のうちのひとつ材質を選択してもよい。
【００１８】
他に、前述の透明基板１０は第一側１０１及び該第一側に相対する第二側１０２を備え、該導電層１１は該第二側１０２上に設置し、且つその材質はインジウムスズ酸化物(Indium Tin Oxide，ITO)もしくはアンチモン含有酸化スズ(Antimony Tin Oxide，ATO)薄膜である。また該導電層１１は良好な実施例としてスパッタリングの方式で該第二側１０２上に形成するが、これに制限されない。具体実施の時、ジェル塗布、電気メッキもしくは蒸着の方式で該第二側１０２上に形成してもよいことを説明しておく。
【００１９】
図１及び図２に示すとおり、該高分子透明基板１２は、テレフタル酸ポリエチレン、ポリカーボネート、ポリエチレン、ポリ塩化ビニル、ポリプロピレン、ポリスチレン、ポリメタクリル酸メチル及びシクロオレフィン共重合体のうちのひとつ材質を選択し、本実施例はテレフタル酸ポリエチレン（Polyethylene Terephthalate，PET）基板で説明しているが、それに制限されない。
【００２０】
他に、前述の高分子透明基板１２は第三側１２１及び該第三側１２１に相対する第四側１２２を備え、該第三側１２１は該第二側１０２に相対する。また該樹脂層１３は光学接着剤(Optical Clear Adhesive，OCA)もしくは光学樹脂(Optical Clear Resin，OCR)で、且つその樹脂層は該透明基板１０及び高分子透明基板１２の間に設置し、即ち該樹脂層１３の一側は相対する導電層１１と透明基板１０と相互に接着し、その別一側は該高分子透明基板１２を対応して接着し、該樹脂層１３が該透明基板１０と高分子透明基板１２を相互に接合して一体にする。
【００２１】
故に本考案のコンデンサー式タッチパネル構造の設計は、単一導電層１１でタッチ操作の目的を感知して完成し、導電層１１の設置を減らして製造コストを下げる効果を達成する。
【００２２】
本考案の良好な具体的実施例は、本考案の特徴を説明するものであって、それに制限されない。当領域に習熟した者が簡単に思いつくような変化もしくは修飾を行っても、それはすべて本考案の請求項に含まれるものとする。
【符号の説明】
【００２３】
１        コンデンサー式タッチパネル構造
１０        透明基板
１０１        第一側
１０２        第二側
１１        導電層
１２        高分子透明基板
１２１        第三側
１２２        第四側
１３        樹脂層
【図１】
0003177905.tif 000003
【図２】
0003177905.tif 000004